(57)【要約】      （修正有）【課題】食材を載置したトレイを膝の上に載せたとき、裏面に施した滑り止めコーティング層が使用者の着衣に接しトレイの滑りを止め、また、トレイの未使用時にトレイ同士を重ねて収納するとき、下に位置するトレイと重ねられるトレイの裏面の滑りを妨げない合成樹脂製のトレイの提供。【解決手段】浅い盆型の合成樹脂製のトレイ１において、トレイ裏面の端縁３ａに沿ってリム６を膨出させ、該リムで区画された部分に滑り止めのコーティング層７を形成し、且つ該コーティング層はリムの厚さより薄くなるよう形成した。リムは該コーティング層を囲むようにトレイの端縁に沿って膨出して形成され、リムはトレイの材料と同じ素材で形成した。【選択図】図１
0003221803.tif 000002
【実用新案登録請求の範囲】
【請求項１】
合成樹脂製のトレイの裏面の端縁に沿ってリムを膨出させ、該リムで区画された部分に滑り止めのコーティング層を形成し、該コーティング層はリムの厚さより薄く形成したトレイ。
【請求項２】
リムは滑り止めのコーティング層を囲むようにトレイの端縁に沿って膨出して形成された請求項１に記載のトレイ。  
【請求項３】
リムはトレイの材料と同じ素材で形成された請求項１に記載のトレイ。
【考案の詳細な説明】
【技術分野】
【０００１】
本考案は病院における病人や介護施設などでの車椅子使用者の食事に使用する食器を載置するトレイに関する。
【背景技術】
【０００２】
一般にこれら施設などで使用されるトレイは、トレイ上に載せられた食器類が滑るのを防ぐためトレイの上面に滑り止め防止処置を施して提供されることは周知の事柄である。
【０００３】
又、車椅子で食事をとらざるを得ない人はトレイに載置された食材を膝の上に載せて食するが、トレイの裏面が載置する膝と腿の上で滑りやすくトレイの安定を図るのが難しい。
【０００４】
そのため、特許文献１の実開昭５５−１６１７６は、トレイの表裏面に摩擦抵抗を大きくする手段、即ち、凹凸模様や粗面に形成したものが開示され、また特許文献２の特表２０００−５０４２４３では盆本体の下側を全体的に又は部分的に覆う滑り防止層を備えたものが提案されている。ここに開示される滑り防止層は合成ゴム、熱可塑性エラストマー等が使用され、極めて滑らかな面上に置くことができるとされる。また、特許文献３の特開平１１−５６５７０のようにトレイの左右両側に使用者の太腿の外側に係止させる筒状の係止部を垂設したものが開示される。
【先行技術文献】
【特許文献】
【０００５】
【特許文献１】実開昭５５−１６１７６号公報
【特許文献２】特表２０００−５０４２４３号公報
【特許文献３】特開平１１−５６５７０号公報
【考案の概要】
【考案が解決しようとする課題】
【０００６】
本考案者は従来のトレイの裏面に滑り防止処理をしたものでは現場での使用には不適切であることに着目した。即ち、トレイの裏面に滑り防止処理を施す場合は使用時には膝と腿の上でトレイの滑りを防止できるが、トレイの洗浄後の収納時に滑り止めが逆に作用し、円滑な収納ができないことが現場の問題として提起されている。図３に示すように、トレイは重ねて収納されるが、収納時に重ねるトレイを重ねられるトレイの面上に外縁の立ち上がり壁に沿って滑らせるようにして落とし重ねていく連続作業を行う。その時に裏面が滑り防止処理をされていると重ねられる下位置のトレイの立ち上がり壁と接触し、滑り止め処理された部分が摩擦抵抗を受けて引っかかり、円滑に滑り落とし入れすることが出来ない。かくて、作業性も悪く現場では改善の必要が指摘されている。
【課題を解決するための手段】
【０００７】
そこで、本考案はトレイの裏面の端縁に沿ってリムを膨出させ、且つ該リムで区画された部分に滑り止めのコーティング層を形成し、該コーティング層の厚みがリムの厚みよりより薄くなるように形成した。また、リムはコーティング層を囲むようにトレイの端縁に沿って膨出し、リムはトレイと同じ材料で形成した。
【考案の効果】
【０００８】
本考案によれば、トレイを膝の上に置いても裏面のリムで区画された部分が滑り止めのコーティング層であるため、使用者のパジャマ等の着衣との間の摩擦抵抗によりトレイの滑りを防止することが出来る。また、トレイの洗浄時や収納時には端縁のリムは滑り板の役目をし、重ねられる下側のトレイの立ち上がり壁の上面と重ねられるトレイの裏面のリムが折衝して滑り、円滑にトレイの重ね収納が可能となる。しかも、裏面の膨出したリムが下面のトレイの載置面となる上面と当接することで上面のすべり止め層と上に重なったトレイの底面の滑り止め層が直接接触せず、重ねたときのトレイ同士の密着を防ぐことにもなる。
【図面の簡単な説明】
【０００９】
【図１】本考案の実施例を示すトレイの裏面から見た斜視図である。
【図２】図１のＡ−Ａ線の断面図で表裏を反転して示す。
【図３】トレイを重ねて収納する状態を説明する断面図である。
【図４】他の実施例を示すトレイの裏面から見た斜視図である。
【考案を実施するための形態】
【００１０】
以下、本考案を図示する実施形態により具体的に説明する。
図１は、本考案のトレイを反転させ裏面を露わにした全体を示しており、トレイ１は長方形状で、食器、食材などを載せる平滑な上面２と裏面３と四方に浅い立ち上がり壁４を備えた薄い盆状を呈している。トレイ１の形状は全体的にエッジ５を鋭くしないでアール形状に加工して耐衝撃性を高めている。該トレイ１の材料は合成樹脂で、一般的には不飽和ポリエステル・ガラス繊維強化樹脂、即ちＦＲＰにて全体が一体にＳＭＣ成形により形成されている。尚、トレイ１の上面２には食器類の滑り防止のためのコーティング層２ａが形成されている。
【００１１】
トレイ１の裏面３には端縁３ａに沿ってトレイと同じ樹脂製のリム６が膨出して形成され、該リム６で区画された部分に滑り止めのコーティング層７が塗布されており、該コーティング層７はリム６の厚みより薄く、リム６面より突出しないように形成されている。リム６はトレイ１の材料と同じ素材で形成され、トレイ１裏面に段差を設けずに膨出して形成される。即ち、リム６はトレイ１面から緩やかな円弧状に膨出している。
【００１２】
図１ではリム６は裏面３の端縁３ａに沿って膨出して形成される態様を示したが、図４のように正方形状のトレイ１の四周の端縁３ａ、３ｂに沿って枠状に、コーティング層７を囲むように膨出して形成することもできる。リム６を端縁に沿って枠状に形成する場合、トレイの形状は正方形、多角形、円形など様々な形状に対応することが出来る。
【００１３】
滑り止めのコーティング層７の厚さは好ましくは０．５ｍｍで、一般的なシリコーンやウレタンなどの滑り止め材料が塗布されている。コーティング層７はリム６で区画された部分全域に塗布されるが、滑り止め作用を得る限りストライプ状やドット状等の部分的な塗布でもよく、塗布の領域や塗布方法は問われない。
【００１４】
リム６はコーティング層７の厚みより大でなければ意味をなさない。即ち、考案者の試作では滑り止めのコーティング層を０．５ｍｍの膜厚に塗布した場合、リム６は少なくともその膜厚の倍以上であればよいことが判明した。リム６の厚みが余り大きくなると使用者が膝の上にトレイ１を乗せたとき、パジャマ等の柔らかい素材からなる着衣との摩擦が得にくくなり、滑り止めの効果は減退してしまう。従って、リム６の厚みは自ずと設定されるが、コーティング層を０．５ｍｍとした場合、リムの厚みは１ｍｍから２ｍｍ程度で滑り止めの効果は維持できる。
【００１５】
本考案のトレイ１は未使用時には図３に示すように重ねて収納される。洗浄を済ませて１枚ごとに連続作業で重ねるように収納するが、重ねられるトレイの立ち上がり壁４に重ねるトレイの裏面３を接して滑らせるように落とし込む。この時、裏面３に滑り止め処理がされているトレイは、該滑り止めのコーティング層７が立ち上がり壁４との摩擦抵抗を受けないように裏面のリム６が折衝して円滑な収納を可能にしている。
【００１６】
また、裏面のリム６はトレイ同士を重ねて収容した場合に、下に位置するトレイ１の滑り止めのコーティング処理された上面２と、重ねられるトレイ１の裏面３の滑り止めのコーティング層７とが直接接触するのを防ぐ媒介にもなる。即ち重ねられたトレイ同士の密着を防止できる。
【００１７】
尚、トレイは実施例で説明した長方形状や正方形状に限らず、多角形状や円形状など多様で、トレイの形状に限定されない。
【００１８】
本考案は以上のように構成したことにより、主に車椅子使用者の食事用トレイとして膝の上で滑らず、洗浄時や収納時に重ね収納が容易となるトレイを提供することができる。
【符号の説明】
【００１９】
１    トレイ
２    上面
２ａ  上面の滑り止め部
３    裏面
３ａ、３ｂ  端縁
４    立ち上がり壁
５    エッジ
６    リム
７    滑り止めのコーティング層
【図１】
0003221803.tif 000003
【図２】
0003221803.tif 000004
【図３】
0003221803.tif 000005
【図４】
0003221803.tif 000006